(57)【特許請求の範囲】
【請求項１】
遊技機の外枠に回動可能に取付けられる前枠を外枠に対して施解錠する施錠機構部を操作するための遊技機用施錠装置であって、
前記前枠の後面側に取付けられるブラケットと、前記前枠の貫通孔に挿入され前方から鍵が挿入されるシリンダ錠と、前記ブラケットと前記シリンダ錠との間に設けられるテール体とを有し、
前記テール体は、前記ブラケットに固定される外筒テールと、前記シリンダ錠の錠軸側と連結されて前記錠軸とともに回動するテール軸を有し、
前記外筒テールは、前記テール軸が回動可能に貫通される円孔と、外周面に形成された係合溝を有し、その係合溝に前記シリンダ錠側から張出す係合鍔が係合され、
前記テール軸は、略多角形断面を有しかつ前端部が前記シリンダ錠の錠軸側と回動不能に連結される多角部を有し、前記テール軸の後端部には、前記施錠機構部を操作するカムが取付けられ、
前記円孔と前記係合溝と前記多角部が、軸方向に所定長さを有し、かつ軸方向に対応した位置に組み付けられる構成になっており、
前記外筒テールの外周面には、軸方向に所定間隔で並設された複数のカット用溝と、該所定間隔と同間隔で前記係合溝に並設された複数の係止穴が形成されており、
前記外筒テールが前記カット用溝を目安としてカットされ、
前記係合溝に係合された前記係合鍔の貫通穴と前記係止穴に取付具が挿入されて前記係合鍔と前記外筒テールが連結されていることを特徴とする遊技機用施錠装置。
【請求項２】
請求項１に記載の遊技機用施錠装置であって、
シリンダ錠とテール体の間には、ジョイント体が設けられており、
前記ジョイント体は、前記シリンダ錠の外筒本体に連結される外筒ジョイントと、前記シリンダ錠の錠軸に連結されるジョイント軸とを有し、
前記外筒ジョイントは、外筒テールの係合溝に係合される係合鍔を有し、
前記ジョイント軸は、テール軸の多角部に対応した形状に凹設されて前記多角部の前端部が連結される連結部を有していることを特徴とする遊技機用施錠装置。
【発明の詳細な説明】
【技術分野】
【０００１】
本発明は、遊技機の外枠に回動可能に取付けられる前枠を施解錠する施錠機構部を操作するための遊技機用施錠装置に関する。
【背景技術】
【０００２】
パチンコ機やスロット機などの遊技機は、外枠と、外枠に回動可能に取付けられる前枠と、前枠を外枠に対して施解錠する施錠機構部と、施錠機構部を操作する施錠装置を有している。施錠装置は、前枠の後面に取付けられるブラケットと、前枠の貫通孔に挿入され前方から鍵が挿入されるシリンダ錠を有している。そして従来、ブラケットとシリンダ錠の間に、長さ調整可能な連結体を有している施錠装置も知られている（特許文献１，２参照）。例えば連結体は、めねじ部材と、そのめねじ部材に対して回動することで進退するおねじ部材を有している構成であった。あるいは入れ子式の複数の部材で構成され、伸縮できる構成になっていた。そのため連結体によって施錠装置の長さを前枠の厚みに対応した長さに調整し、これによって施錠装置を様々な遊技機の筐体に対応させることができた。
【特許文献１】特開２００５−７３８７７号公報
【特許文献２】特開２００５−４０４１４号公報
【発明の開示】
【発明が解決しようとする課題】
【０００３】
しかし連結体の伸縮によって施錠装置の長さを調整する構成では、長さを十分に調整できない場合があった。例えば薄い前枠に対応させると、伸びる量が短くなり、厚い前枠に対応できない場合があった。また伸縮する連結体は、ねじを設けたり、複雑な断面形状を有する入れ子式にしたりする必要があった。そのため生産コストが高くなるという問題があった。そこで本発明は、前枠の厚みに容易に対応可能でかつ安価に構成され得る遊技機用施錠装置を提供することを課題とする。
【課題を解決するための手段】
【０００４】
前記課題を解決するために本発明は、各請求項に記載の通りの構成を備える遊技機用施錠装置であることを特徴とする。すなわち請求項１に記載の発明によると、前枠の後面側に取付けられるブラケットと、前枠の貫通孔に挿入され前方から鍵が挿入されるシリンダ錠と、ブラケットとシリンダ錠との間に設けられるテール体とを有している。テール体は、ブラケットに固定される外筒テールと、シリンダ錠の錠軸側と連結されて錠軸とともに回動するテール軸を有している。外筒テールは、前記テール軸が回動可能に貫通される円孔と、外周面に形成された係合溝を有しており、その係合溝にシリンダ錠側から張出す係合鍔が係合される。テール軸は、略多角形断面を有しかつ前端部がシリンダ錠の錠軸側と回動不能に連結される多角部を有し、テール軸の後端部には、施錠機構部を操作するカムが取付けられる。そして円孔と係合溝と多角部が、軸方向に所定長さを有し、かつ軸方向に対応した位置に組み付けられる構成になっている。
【０００５】
したがって外筒テールは、円孔と係合溝を有している部分において所望の軸方向長さで切断することで、容易に長さ調整され得る。テール軸は、多角部において所望の軸方向長さで切断することで、容易に長さ調整され得る。そして切断した外筒テールとテール軸を利用することで、施錠装置を所望長さにすることができる。また外筒テールとテール軸は、円孔と係合溝と多角部が簡易な形状であるために簡易な断面形状になっている。かくして外筒テールとテール軸を安価に製造することができる。そして外筒テールとテール軸以外の部品は、施錠装置の長さに関わらず、施錠装置の共通部品として利用され得る。そのため施錠装置が安価に構成され得る。
【０００６】
請求項２に記載の発明によると、シリンダ錠とテール体の間には、ジョイント体が設けられている。ジョイント体は、シリンダ錠の外筒本体に連結される外筒ジョイントと、シリンダ錠の錠軸に連結されるジョイント軸とを有している。外筒ジョイントは、外筒テールの係合溝に係合される係合鍔を有している。そしてジョイント軸は、テール軸の多角部に対応した形状に凹設されて多角部の前端部が連結される連結部を有している。したがってテール体は、ジョイント体を介してシリンダ錠と連結される。そのためテール体が直接、シリンダ錠に連結される形態に比べて、テール体を簡易な構成にすることができる。
【０００７】
請求項１に記載の発明によると、外筒テールの外周面には、軸方向に所定間隔で並設された複数のカット用溝と、該所定間隔と同間隔で係合溝に並設された複数の係止穴が形成されている。そして外筒テールがカット用溝を目安としてカットされ、係合溝に係合された係合鍔の貫通穴と係止穴に取付具が挿入されて係合鍔と外筒テールが連結されている。したがってカット用溝によって外筒テールを容易に所望長さにカットすることができる。そして係止穴によって係合鍔と外筒テールを容易に連結することができる。
【発明を実施するための最良の形態】
【０００８】
実施の形態を図１〜８にしたがって説明する。遊技機（例えばパチンコ機）１０は、図１に示すように矩形枠状の外枠１１と、板状の前枠１２を有している。前枠１２は、中央に開口窓１２ａを有しており、開口窓１２ａを覆うように遊技盤が取付けられる。前枠１２の一端部は、ヒンジ１８を介して外枠１１の一端部に回動可能に取付けられる。前枠１２の他端部には、施錠機構部１３と、施錠機構部１３を操作する施錠装置１が取付けられている。
【０００９】
施錠機構部１３は、図１に示すように前枠１２の後面に取付けられるベース１４と、ベース１４の上下部に傾動可能に取付けられる鉤部材１６を有している。上下の鉤部材１６は、連結杆１５によって連結されており、連結杆１５は、付勢部材によって下方に付勢されている。したがって前枠１２を閉じ方向に移動させると、鉤部材１６が外枠１１に取付けられた鉤受部材１７に当って付勢部材に抗して傾動する。そして付勢部材の付勢力を利用して鉤部材１６が元の位置に傾動して鉤部材１６が鉤受部材１７に係止する。かくして施錠機構部１３によって前枠１２が外枠１１に対して施錠される。
【００１０】
前枠１２を外枠１１に対して解錠する場合は、鍵１９によって施錠装置１を操作し、施錠装置１によって連結杆１５を付勢部材に抗して上方に移動させる。これにより上下の鉤部材１６が傾動し、鉤部材１６が鉤受部材１７から外れ、前枠１２が外枠１１に対して回動可能な解錠状態になる。
【００１１】
施錠装置１は、図２，３に示すようにブラケット７と、シリンダ錠２と、これらを連結するジョイント体２１とテール体２０を有している。ブラケット７は、ベース１４に取付けられ、ベース１４とともに前枠１２の後面側に取付けられる（図１参照）。シリンダ錠２は、ジョイント体２１とテール体２０とともに前枠１２に形成された貫通孔に挿入される。
【００１２】
シリンダ錠２は、図３に示すように鍵１９が前方から挿入される鍵穴２ｃと、錠軸２ａを有している。錠軸２ａは、鍵穴２ｃに挿入された鍵１９とともに外筒本体２ｄに対して回動する。外筒本体２ｄの後端部には、後方に張出す一対の張出鍔２ｂが形成されている。ジョイント体２１は、外筒ジョイント４とジョイント軸３を有している。外筒ジョイント４は、円筒状であって、外周面に一対の係合溝４ｂを有している。係合溝４ｂには、前方から張出鍔２ｂが係合され、張出鍔２ｂがねじによって外筒ジョイント４に連結される。これにより外筒ジョイント４と外筒本体２ｄが連結される。外筒ジョイント４の後端部には、後方に張出す一対の係合鍔４ｃが形成されている。
【００１３】
ジョイント軸３は、図３，８に示すように外筒ジョイント４の中心孔４ａに回動可能に挿通される。ジョイント軸３の前端部には、錠軸２ａの端部２ａ１が回動不能に連結される嵌合部３ａが形成されている。嵌合部３ａは、一対の第一凹部３ａ１と、一対の第一凹部３ａ１間に第一凹部３ａ１よりも深く凹設された第二凹部３ａ２を有している。そして第二凹部３ａ２に錠軸２ａの端部２ａ１が嵌合される。これによりジョイント軸３と錠軸２ａが連結される。ジョイント軸３の後端部には、テール軸５が回動不能に連結される連結部３ｂが形成されている。連結部３ｂは、テール軸５の形状に対応した凹部を有しており（図６参照）、テール軸５の端部が嵌合される。これによりジョイント軸３とテール軸５が連結される。
【００１４】
テール体２０は、図３，８に示すように外筒テール６と、外筒テール６に回動可能に挿通されるテール軸５を有している。外筒テール６は、円筒状であって中心軸に円孔６ｃを有しており、円孔６ｃにテール軸５が回動可能に貫通される。外筒テール６の外周面には、複数の溝６ａと複数のリブ６ｂが形成されている。複数の溝６ａは、周方向に等間隔に形成されており、各溝６ａが外筒テール６の先端から軸方向に延出している。
【００１５】
リブ６ｂは、図３に示すように溝６ａの間に立設されている。リブ６ｂは、軸方向に長く、軸方向に所定の間隔でカット用溝６ｇを有している。カット用溝６ｇは、図４，５に示すように外筒テール６を所定の長さでカットする際に利用される。図３に示すように複数の溝６ａのうち二つ（係合溝）６ａ１には、前方から外筒ジョイント４の係合鍔４ｃが係合される。係合溝６ａ１には、カット用溝６ｇの間隔と同じ間隔で係止穴６ｆが軸方向に並設されている。係合鍔４ｃには、貫通穴４ｃ１が形成されており、貫通穴４ｃ１と係止穴６ｆに取付具（例えばねじ）が取付けられる。これにより外筒ジョイント４と外筒テール６が連結される。
【００１６】
テール軸５は、図３に示すように多角部５ａと円柱部５ｂを有している。多角部５ａは、略多角形断面を有しており、例えば正六角形などの正多角形の断面を有している。多角部５ａの前端部は、ジョイント軸３の連結部３ｂに挿入され、ジョイント軸３に回転不能に連結される。円柱部５ｂの外周面には、図５，８に示すように突起部５ｄが形成されている。突起部５ｄは、外筒テール６の内周部に形成されたキー溝６ｈを貫通し、回転してキー溝６ｈの位置からずれることで、テール軸５の外筒テール６からの抜けを防止する。
【００１７】
円柱部５ｂは、図８に示すようにブラケット７の中心穴７ａを貫通し、先端部５ｃがカム８の取付孔８ａに嵌合される。先端部５ｃと取付孔８ａは、非円形になっており、回動不能に連結される。そして取付ねじによってカム８がテール軸５に固定される。カム８は、径方向に張出す張出片８ｂを有している。張出片８ｂは、カム８が回転した際に連結杆１５（図１参照）を押し上げるように連結杆１５に引っ掛けられる。
【００１８】
したがって鍵１９をシリンダ錠２の鍵穴２ｃに挿入し、鍵１９を回すと、錠軸２ａとジョイント軸３とテール軸５が回動する。そしてテール軸５とともにカム８が回動し、カム８が連結杆１５（図１参照）を押し上げる。これにより鉤部材１６が傾動し、鉤受部材１７から外れる。かくして施錠機構部１３が解錠状態になり、前枠１２が外枠１１に対して回動させることができる。
【００１９】
次に、外筒テール６とテール軸５の製造方法と長さ調整方法について説明する。先ず図４に示すように外筒テール６とテール軸５を金型にて長い状態で成形する。例えば設定され得る前枠１２（図１参照）の最大厚さに合わせた最大長さにて外筒テール６とテール軸５を成形する。次に、所望のカット用溝６ｇを利用して外筒テール６を所望の長さにカットする。テール軸５も所望の長さにカットする。テール軸５をカットする場合は、テール軸５を外筒テール６に挿入した状態でカットすることも可能である。この場合、テール軸５もカット用溝６ｇを利用して外筒テール６とともにカットされ得る。
【００２０】
図４，５に示すように外筒テール６とテール軸５は、カットする部分において円孔６ｃと溝６ａと多角部５ａを有している。そしてこれらは、軸方向に所定長さを有しており、所望の軸方向位置でカットしても同じ断面形状を有している。そのため所望の長さにカットすることができる。そして所望の長さにカットした後に外筒テール６とテール軸５が他の部品に組付けられ、円孔６ｃと溝６ａと多角部５ａは、軸方向ほぼ同じ位置に位置する。
【００２１】
以上のように、外筒テール６は、図３に示すように円孔６ｃと係合溝６ａ１を有している。テール軸５は、多角部５ａを有している。そして円孔６ｃと係合溝６ａ１と多角部５ａが、軸方向に所定長さを有し、かつ軸方向に対応した位置に組み付けられる構成になっている。したがって外筒テール６は、円孔６ｃと係合溝６ａ１を有している部分において所望の軸方向長さで切断することで、容易に長さ調整され得る。テール軸５は、多角部５ａにおいて所望の軸方向長さで切断することで、容易に長さ調整され得る。そして切断した外筒テール６とテール軸５を利用することで、施錠装置１を所望長さにすることができる。また外筒テール６とテール軸５は、円孔６ｃと係合溝６ａ１と多角部５ａが簡易な形状であるために簡易な断面形状になっている。かくして外筒テール６とテール軸５を安価に製造することができる。そして外筒テール６とテール軸５以外の部品は、施錠装置１の長さに関わらず、施錠装置１の共通部品として利用され得る。そのため施錠装置１が安価に構成され得る。
【００２２】
またシリンダ錠２とテール体２０の間には、図３に示すようにジョイント体２１が設けられている。したがってテール体２０は、ジョイント体２１を介してシリンダ錠２と連結される。そのためテール体２０が直接、シリンダ錠２に連結される形態に比べて、テール体２０を簡易な構成にすることができる。
【００２３】
外筒テール６の外周面には、図３に示すように軸方向に所定間隔で並設された複数のカット用溝６ｇと複数の係止穴６ｆが形成されている。そして外筒テール６がカット用溝６ｇを目安としてカットされ、係合溝６ａ１に設置された係合鍔４ｃの貫通穴４ｃ１と係止穴６ｆとに取付具が挿入されて係合鍔４ｃと外筒テール６が連結されている。したがってカット用溝６ｇによって外筒テール６を容易に所望長さにカットすることができる。そして係止穴６ｆによって係合鍔４ｃと外筒テール６を容易に連結することができる。
【００２４】
外筒テール６とテール軸５は、図４，５に示すように最大長さに成形した後に、所望の長さにカットされる。したがって金型は、最大長さ用のみが必要で、他の長さ用を必要としない。そのため金型の費用を抑制することができる。また所望の長さにカットすることでこれらが長さ調整されるため、新しい遊技機の筐体に容易に対応させ得る。
【００２５】
施錠装置１は、外筒テール６とテール軸５を長さの異なるものと交換することで、長さが変わる。そのため遊技場において施錠装置１の長さを変えることができる。また外筒テール６とテール軸５は、短くすることで、短い施錠装置１に再利用できる。
【００２６】
（他の実施の形態）
本発明は、上記実施の形態に限定されず、以下の形態等であっても良い。
（１）上記実施の形態は、シリンダ錠２に外筒ジョイント４とジョイント軸３が連結されていた。しかし外筒ジョイント４がシリンダ錠２の外筒本体２ｄに一体に設けられ、ジョイント軸３が錠軸２ａに一体に設けられた形態であっても良い。
（２）上記実施の形態のテール軸５の多角部５ａは、正六角形などの正多角形の断面を有していた。しかし多角形の角部に曲面を有している略多角形の断面を有している形態等であっても良い。
（３）上記実施の形態の外筒テールは、カット用溝を有していたが、カット用溝を有していない形態であっても良い。
（４）上記実施の形態の外筒テール６は、複数の係止穴６ｆを有していた。しかしカット前に外筒テール６に係止穴６ｆを形成せず、カット後に必要な係止穴のみを形成する形態であっても良い。
（５）上記実施の形態のテール軸５は、カット用溝を有していなかった。しかしテール軸５が複数のカット用溝を有し、これらカット用溝の間隔が外筒テール６のカット用溝６ｇと同じ間隔である形態であっても良い。
【図面の簡単な説明】
【００２７】
【図１】遊技機の一部斜視図である。
【図２】施錠装置の斜視図である。
【図３】施錠装置の分解斜視図である。
【図４】カット前のテール体の分解斜視図である。
【図５】カット後のテール体の分解斜視図である。
【図６】ジョイント体の分解斜視図である。
【図７】ジョイント軸の後面図（Ａ）と、テール軸の後面図（Ｂ）である。
【図８】施錠装置の一部断面側面図である。
【符号の説明】
【００２８】
１…施錠装置
２…シリンダ錠
２ａ…錠軸
３…ジョイント軸
４…外筒ジョイント
４ｃ…係合鍔
５…テール軸
５ａ…多角部
６…外筒テール
６ａ…溝
６ａ１…係合溝
６ｃ…円孔
６ｆ…係止穴
６ｇ…カット用溝
７…ブラケット
８…カム
１１…外枠
１２…前枠
１３…施錠機構部
１４…ベース
１５…連結杆
１６…鉤部材
１７…鉤受部材
２０…テール体
２１…ジョイント体
【図１】
0005096880.tif 000002
【図２】
0005096880.tif 000003
【図３】
0005096880.tif 000004
【図４】
0005096880.tif 000005
【図５】
0005096880.tif 000006
【図６】
0005096880.tif 000007
【図７】
0005096880.tif 000008
【図８】
0005096880.tif 000009